(57)【要約】【課題】光源の半導体発光素子が放出した光を無駄なく利用して棚板などの被照射面の略全域を斜め前上方から照明できるとともに、薄型である照明装置を提供する。【解決手段】棚下灯１は、基板１２上に複数のＬＥＤ13が一列に並設された光源11と、ＬＥＤ13の並び方向に延びる透光性配光制御部材21を具備する。部材21は、光出射面22、この面の裏側の光入射面23、面22,23の一側縁にわたる反射面24、及び面22,23の他側縁にわたる反射面25を有し、光入射面23を光源11に対向させてＬＥＤ13の光放出側に配置する。光入射面23を、反射面24に連続する斜めの入射面26と、この面から光源側に折れ曲がるように連続する入射面27で形成する。入射面26を通過して両反射面24,25を経ない光を光出射面22から斜め後下方向に出射させる。入射面26及び反射面24を経由する光を光出射面22から略真下方向に出射させる。入射面27及び反射面25を経由する光を光出射面22から斜め後下方向に出射させる。【選択図】      図４
2007287686.tif 000002
【特許請求の範囲】
【請求項１】
基板上に複数の半導体発光素子が一列に並設された光源と；
前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；
を具備し、
前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるようにしたことを特徴とする照明装置。
【請求項２】
前記第２の入射面を、この面で屈折された光の全てが前記第２の反射面に入射されるように前記直線に交差させたことを特徴とする請求項１の記載の照明装置。
【請求項３】
前記第１の入射面を、前記第１、第２の反射面を経ることなく前記光源から前記光出射面に向かう光が通過する第１の光屈折面と、この第１の光屈折面の前記光源側に連続する第２の光屈折面とで形成し、前記第２の光屈折面を、この面で屈折された光の全てが前記第１の反射面に入射されるように形成したことを特徴とする請求項１又は２に記載の照明装置。
【請求項４】
相対的に上下に配置される上側の棚板と下側の棚板とを備えた棚の前記上側の棚板の前縁部下面に取付けられて、前記下側の棚板を照明する棚下灯であって、
基板上に複数の半導体発光素子が一列に並設された光源と；
前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；
を具備し、
前記第１の入射面を通過して前記第１、第２の反射面を経ない光を光出射面から斜め下後方向に出射させることにより前記下側の棚板及びこの棚板の後側に連なった奥壁面の下部を照射するとともに、前記第１の入射面及び前記第１の反射面を経由する光を前記光出射面から略真下方向に出射させることにより主として前記下側の棚板の上面を照射し、かつ、前記第２の入射面及び前記第２の反射面を経由する光を前記光出射面から斜め下後方向に出射させるように構成したことを特徴とする棚下灯。
【請求項５】
相対的に上下に配置される上側の棚板と下側の棚板とを備えた棚の前記上側の棚板の前縁部下面に取付けられて、前記下側の棚板を照明する棚下灯であって、
基板上に複数の半導体発光素子が一列に並設された光源と；
前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；
前記配光制御部材を前側から覆う前カバー部を有して、この前カバー部が前記棚の前面側となるように前記配光制御部材に連接して設けられたカバーと；
を具備し、
前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるように構成されたことを特徴とする棚下灯。
【請求項６】
相対的に上下に配置される上側の棚板と下側の棚板とを備えた棚の前記上側の棚板の前縁部下面に取付けられて、前記下側の棚板を照明する棚下灯であって、
基板上に複数の半導体発光素子が一列に並設された光源と；
前記基板と密着するベース部及びこのベース部に連接する放熱部を有し、この放熱部が棚奥側となるように前記上側の棚板に配設されたベースケースと；
前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；
を具備し、
前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるように構成されたことを特徴とする棚下灯。
【請求項７】
前記カバーと前記配光制御部材とが透光性の合成樹脂で一体成形されていて、その前カバー部の内面又は外面をつや消し面としたことを特徴とする請求項５に記載の棚下灯。
【発明の詳細な説明】
【技術分野】
【０００１】
本発明は、ＬＥＤ等の半導体発光素子を有した光源を備えて、例えば棚下照明や壁面照明をする照明装置及び棚下照明をする棚下灯に関する。
【背景技術】
【０００２】
例えば陳列棚に陳列された商品を照明するために、当該商品の上方に対向配置された棚板の下面に設置される棚下灯が従来知られている。
【０００３】
棚下灯の多くは、その光源に蛍光ランプを使用しているので、十分な明るさを得られる半面で、上下方向の高さ（厚み）が大きい。このため、棚下灯を厚み方向に薄くすることが要請されている。又、従来の棚下灯は発熱が多いので、それを低減することが要請されている。そのため、近年に至りＬＥＤを備えた光源を用いて厚みを薄くし、かつ、発熱を低減できる棚下灯の開発が試みられている。
【０００４】
従来、ＬＥＤを有した光源を備える照明装置として、ＬＥＤと、このＬＥＤの光放出面側に設置され、ＬＥＤの光を集束して放出する第１レンズと、この第１レンズの光放出側に設置され、第１レンズを介して放出された光を略平行光に集束して放出する第２レンズと、ＬＥＤから横方向に放出された光を光の取り出し方向に反射するリフレクタを備える照明装置が知られている（例えば、特許文献１参照。）。
【０００５】
この照明装置では、二つのレンズを利用することで、薄型化を図りつつ、ＬＥＤから放出された光を効率よく平行光へと変換して照明でき、更に、ＬＥＤから横方向に放出された光をも照明光として利用するので、照度を向上できる。
【特許文献１】特開２００３−２８１９０８号公報（段落0006,0017、図６）
【発明の開示】
【発明が解決しようとする課題】
【０００６】
しかし、平行光を得てスポット照明する特許文献１の照明装置では、広範な領域を照明することが難しいので、この照明装置を用いて棚下照明を行おうとする場合、商品が陳列された棚上面全域を照明するには不適当である。
【０００７】
そこで、棚上面全域を照明するために、陳列された商品の真上に特許文献１の照明装置を対向配置することができる。しかし、この場合、スポット照明となって商品に影ができやすく、それが前方から視認されるので、好ましくない。
【０００８】
又、ＬＥＤを傾けて、このＬＥＤから放出される平行光の光軸が斜め下方向となるように特許文献１の照明装置の外郭形状を工夫して、この照明装置を商品の真上から前方にずらして設置することで、陳列された商品の真上からではなく、斜め前上方から照明することも考えられる。しかし、この場合、前記外郭形状の工夫自体によって、照明装置の高さ(厚み)が大きくなるので、ＬＥＤを用いたメリットが生かされなくなる。これとともに、スポット照明であることに変わりがないから、商品が陳列された棚の前部上面が非照明領域となり易く棚の上面の略全域を照明するには難があり、実際的ではない。
【０００９】
又、照明装置が、リフレクタを有している構成では、このリフレクタの設計を変えることで、広範な領域を照明することが可能であると考えられている。しかし、商品の影が前方から見て視認されることを抑制するために、この照明装置を商品の真上から前方にずらして設置する形態では、リフレクタで反射された光の一部が、商品が陳列された棚の前縁から前方に外れて無駄になってしまう。現状のＬＥＤは光量が少ないので、前記のような無駄があると、商品が陳列された棚全域を照らす光量が不足し易くなり、好ましくない。又、こうした光の無駄を無くすようにリフレクタの反射面が多段となるように設計することも可能であるが、この場合には、リフレクタの高さがかなり大きくなり、それに伴い照明装置の高さが大きくなるので、ＬＥＤを用いたメリットが生かされなくなる。
【００１０】
本発明の目的は、光源の半導体発光素子が放出した光を無駄なく利用して棚板などの被照射面の略全域を斜め前上方から照明できるとともに、薄型である照明装置及び棚下灯を得ることにある。
【課題を解決するための手段】
【００１１】
前記目的を達成するために、請求項１の発明の照明装置は、基板上に複数の半導体発光素子が一列に並設された光源と；前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；を具備し、前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるようにしたことを特徴としている。
【００１２】
請求項１の発明および以下の各発明で、半導体発光素子として例えばＬＥＤを挙げることができ、ＬＥＤとしては例えばチップ型のものが薄型化を促進する上で特に好ましい。請求項１の発明および以下の各発明で、配光制御部材を形成する透光性材料には、アクリル樹脂、エポキシ樹脂、ポリカーボネート樹脂などの透光性合成樹脂、又は、ガラスなどの透光性無機材料を用いることができる。合成樹脂製とする場合、ポリカーボネート樹脂などに比較して光透過率が高い透光性アクリル樹脂を用いることが好ましい。配光制御部材の光入射面の傾き角度や第１、第２の反射面及び光出射面の形状などは、照明対象に適合させて設定できるとともに、配光制御部材の反射面は全反射面とすることが最も好ましい。更に、第１の入射面に対する第２の入射面の位置や角度なども、配光制御部材の高さなどに応じて適宜設定されるものであるが、第２の入射面はできるだけ光源に寄せて設けるとよい。それにより、第２の入射面で屈折された光の広がりを抑制できるに伴い、この光を例えば全反射するのに必要な第２の反射面の高さ方向の寸法（言い換えれば、配光制御部材の厚み方向に沿う第２の反射面の高さ寸法）が小さくなり、配光制御部材ないしは照明装置の薄型化を促進する上で好ましい。
【００１３】
請求項１の発明では、配光制御部材の主として第１の入射面で屈折されて斜め下後向きに傾けられて出射された光と、第１の入射面を通って配光制御部材の主として第１の反射面で反射されることで照明装置の略真下方向に出射された光と、第２の入射面を通って配光制御部材の主として第２の反射面で反射されることで斜め下後方向に出射された光によって、棚板などの被照射面の略全域を斜め前上方から照明できる。それにより、被照射面上に商品などがある場合にその影が前方から視認され難くできる。しかも、この照明において、配光制御部材の制御により、照明装置の前方側下方が光の照射領域に含まれないようにできるので、既述のように斜め前上方から照明できるにも拘らず、光源から放出された光を無駄なく利用して効率よく照明できる。又、半導体発光素子を有した光源は、薄型であるとともに、既述のように斜め前上方から照明するにも拘らず、光源自体を斜めに傾ける必要がないので、薄型な照明装置とすることができる。
【００１４】
この請求項１の発明では、被照射面全域を照らすために、第１の反射面で反射された光を略真下方向、第２の反射面で反射された光を斜め下後方向に出射しているが、この逆の場合も考えられる。第２の反射面で反射された光を略真下方向に出射させる構造を考えた場合、第２の反射面の傾きが小さくなり、第２の入射面で屈折した光を全て第１の反射面に入射させようとすると、配光制御部材の高さ（ひいては照明装置の高さ）が大きくなってしまう。第１の反射面で反射された光についても同様である。これに対し、既述のように第２の反射面で反射された光を斜め下後方向、第１の反射面で反射された光を略真下方向に出射させることで、薄型の照明装置を得ることができる。
【００１５】
請求項２の発明の照明装置は、前記第２の入射面を、この面で屈折された光の全てが前記第２の反射面に入射されるように前記直線に交差させたことを特徴としている。
【００１６】
この請求項２の発明では、光源から照明装置の前方に向けて放出されて第２の入射面に入射した光を、この第２の入射面で屈折させて、その屈折光の全てを第２の反射面に入射させることができる。このため、照明装置の前方に一部の光が漏れることを抑制しつつ、第２の入射面で屈折された光の一部が第２の反射面を経由することなく光出射面を通って、照明装置の前方側下方に光が無駄に出射されることを防止できる。
【００１７】
請求項３の発明の照明装置は、前記第１の入射面を、前記第１、第２の反射面を経ることなく前記光源から前記光出射面に向かう光が通過する第１の光屈折面と、この第１の光屈折面の前記光源側に連続する第２の光屈折面とで形成し、前記第２の光屈折面を、この面で屈折された光の全てが前記第１の反射面に入射されるように形成したことを特徴としている。
【００１８】
この請求項３の発明では、光源から照明装置の後方に向けて放出されて、第１の光屈折面よりも光源に近づいている第２の光屈折面に入射された光を、この第２の光屈折面で屈折させて、この屈折された光の全てを第１の反射面に入射させることができる。そのため、照明装置の後方に一部の光が漏れることを抑制しつつ、第１の反射面での反射で光を無駄なく照明装置の略真下方向に出射させることができる。
【００１９】
前記目的を達成するために、請求項４の発明の棚下灯は、相対的に上下に配置される上側の棚板と下側の棚板とを備えた棚の前記上側の棚板の前縁部下面に取付けられて、前記下側の棚板を照明する棚下灯であって、基板上に複数の半導体発光素子が一列に並設された光源と；前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；を具備し、前記第１の入射面を通過して前記第１、第２の反射面を経ない光を光出射面から斜め下後方向に出射させることにより前記下側の棚板及びこの棚板の後側に連なった奥壁面の下部を照射するとともに、前記第１の入射面及び前記第１の反射面を経由する光を前記光出射面から略真下方向に出射させることにより主として前記下側の棚板の上面を照射し、かつ、前記第２の入射面及び前記第２の反射面を経由する光を前記光出射面から斜め下後方向に出射させるように構成したことを特徴としている。
【００２０】
請求項４の発明では、配光制御部材の主として第１の入射面で屈折されて斜め下後向きに傾けられて出射された光と、第１の入射面を通って配光制御部材の主として第１の反射面で反射されることで棚下灯の略真下方向に出射された光と、第２の入射面を通って配光制御部材の主として第２の反射面で反射されることで斜め下後方向に出射された光によって、棚の下側の棚板の表面から奥壁面下部までを斜め前上方から照明できる。それにより、下側の棚板上の奥まで商品等がある場合でもその影が前方から視認され難い状態で商品全体を照明できる。しかも、この照明において、配光制御部材の制御により、棚下灯の前方側下方が光の照射領域に含まれないようにできるので、既述のように斜め前上方から照明できるにも拘らず、光源から放出された光を無駄なく利用して効率よく照明できる。又、半導体発光素子を有した光源は、薄型であるとともに、既述のように斜め前上方から照明するにも拘らず、光源自体を斜めに傾ける必要がないので、薄型な棚下灯とすることができる。
【００２１】
前記目的を達成するために、請求項５の発明の棚下灯は、相対的に上下に配置される上側の棚板と下側の棚板とを備えた棚の前記上側の棚板の前縁部下面に取付けられて、前記下側の棚板を照明する棚下灯であって、基板上に複数の半導体発光素子が一列に並設された光源と；前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；前記配光制御部材を前側から覆う前カバー部を有して、この前カバー部が前記棚の前面側となるように前記配光制御部材に連接して設けられたカバーと；を具備し、前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるように構成されたことを特徴としている。
【００２２】
又、前記目的を達成するために、請求項６の発明の棚下灯は、相対的に上下に配置される上側の棚板と下側の棚板とを備えた棚の前記上側の棚板の前縁部下面に取付けられて、前記下側の棚板を照明する棚下灯であって、基板上に複数の半導体発光素子が一列に並設された光源と；前記基板と密着するベース部及びこのベース部に連接する放熱部を有し、この放熱部が棚奥側となるように前記上側の棚板に配設されたベースケースと；前記半導体発光素子の並び方向に延びて形成され、光出射面、この光出射面の裏側に位置する光入射面、これら光出射面の一側縁と光入射面の一側縁にわたる第１の反射面、及び前記光出射面の他側縁と光入射面の他側縁にわたる第２の反射面を有し、前記光入射面を前記光源に対向させて前記半導体発光素子の光放出側に配置されるとともに、前記光入射面が、前記光源の光軸に対し斜めに交差して前記第１の反射面に連続する第１の入射面と、この第１の入射面から前記光源側に折れ曲がるように前記第１の入射面に連続するとともに前記第２の反射面に連続する第２の入射面で形成されている透光性材料の配光制御部材と；を具備し、前記第１の入射面を通過して前記第１、第２の反射面を経ない光を光出射面から斜め下後方向に出射させるとともに、前記第１の入射面及び前記第１の反射面を経由する光を前記光出射面から略真下方向に出射させ、かつ、前記第２の入射面及び前記第２の反射面を経由する光を前記光出射面から斜め下後方向に出射させるように構成されたことを特徴としている。
【００２３】
これら請求項５，６の発明では、配光制御部材の主として第１の入射面で屈折されて斜め下後向きに傾けられて出射された光と、第１の入射面を通って配光制御部材の主として第１の反射面で反射されることで棚下灯の略真下方向に出射された光と、第２の入射面を通って配光制御部材の主として第２の反射面で反射されることで斜め下後方向に出射された光によって、棚の下側の棚板の略全域を斜め前上方から照明できる。それにより、下側の棚板上に商品等がある場合にその影が前方から視認され難くできる。しかも、この照明において、配光制御部材の制御により、棚下灯の前方側下方が光の照射領域に含まれないようにできるので、既述のように斜め前上方から照明できるにも拘らず、光源から放出された光を無駄なく利用して効率よく照明できる。又、半導体発光素子を有した光源は、薄型であるとともに、既述のように斜め前上方から照明するにも拘らず、光源自体を斜めに傾ける必要がないので、薄型な棚下灯とすることができる。
【００２４】
請求項７の発明の棚下灯は、前記カバーが透光性の合成樹脂で成形されていて、その前カバー部の内面又は外面をつや消し面としたことを特徴としている。
【００２５】
この請求項７の発明では、棚下灯が上側の棚板の前縁部下面に取付けて使用されるに伴い、この棚下灯に人が前側から触れた場合に、光源等の温度が高い部位への人の接触を防ぎつつ前カバー部に触れた人に過度の熱さを与えることを抑制するカバーが、その前カバー部につや消し面を有しているから、カバーで覆われた配光制御部材等が、前カバー部を通して容易に視認されることを、前カバー部のつや消し面で抑制して、棚下灯の見栄えが低下することを抑制できる。
【発明の効果】
【００２６】
請求項１の発明の照明装置によれば、薄型であるだけではなく、光源の半導体発光素子が放出した光を無駄なく利用して棚板などの被照射面の略全域を斜め前上方から照明できる。
【００２７】
請求項２の発明の照明装置によれば、第２の入射面を通った光の一部が照明装置の前方及び前方側下方に無駄に出射されることを抑制しつつ、被照射面を照明できる。
【００２８】
請求項３の発明の照明装置によれば、第１の入射面が有した第２の光屈折面を通った光の一部が照明装置の後方に無駄に出射されることを抑制しつつ、被照射面を照明できる。
【００２９】
請求項４から６の発明の棚下灯によれば、薄型であるだけではなく、光源の半導体発光素子が放出した光を無駄なく利用して下側の棚板の略全域及びその上の商品等を斜め前上方から照明できる。
【００３０】
請求項７の発明の棚下灯によれば、光源及び配光制御部材等がカバーの前カバー部を通して容易に視認されないようにして、棚下灯の見栄えが低下することを抑制できる。
【発明を実施するための最良の形態】
【００３１】
図１〜図４を参照して本発明の第１実施形態を説明する。
【００３２】
図１及び図２中符号１は照明装置例えば棚下灯を示している。図１中符号２は陳列用の棚２を示し、この棚２は複数の棚板２ａ，２ｂ及び棚奥面となる棚奥壁２ｃを備えている。棚板２ａは、同じく水平状の棚板２ｂに対して上側に配置されている。棚奥壁２ｃがない場合、棚２の設置面が棚奥面を兼ねる。又、棚２は複数の陳列エリアを有していて、これらのエリアは図１を描いた紙面の表裏方向に沿って並んでいる。これらの陳列エリアにおいて、下側の棚板２ｂの上面に商品３などの照明対象物が陳列される。
【００３３】
以上のように相対的に上下に配置される棚板２ａ，２ｂは、水平状に設けられていて、前後方向に沿う幅が略同じである。上側の棚板２ａの下面に棚下灯１が取付けられている。棚板２ａに対する棚下灯１の支持は、ねじ等の固定具を用いて、或いは棚板２ｂの下面に取付けレールを予め取付け、このレールに棚下灯１を支持させるなど適当な取付け手段を用いて行われる。棚下灯１は、商品３の真上ではなく前方にずれた位置に配設され、好ましくは図１に示すように棚板２ａの前縁部下面にこの前縁から前方に突出しないように取付けるとよい。
【００３４】
棚下灯１は、その高さ(厚み)が小さく、かつ、横長に形成されていて、被照射野、つまり、下側の棚板２ｂの上面略全域を照明するものである。ここに、「横長」とは、陳列用の棚２が延びる方向であって、具体的には、図１を描いた紙面の表裏方向に延びていることを指している。この棚下灯１の長さは、図１を描いた紙面の表裏方向に沿う前記陳列エリアの長さの略整数分の１に設定されていて、陳列エリアの長さに応じて１個以上使用される。棚下灯１を複数使用する場合、これらは直線的に並ぶように配置される。
【００３５】
図２に示すように棚下灯１は、ベースケース５と、光源１１と、カバー１５と、配光制御部材２１とを備えている。
【００３６】
ベースケース５は例えばヒートシンクを兼ねている。そのため、ベースケース５は、熱伝導率がよい金属例えばアルミニウム又はその合金で形成されていて、ベース部６とその後端部から下向きに折れ曲がった放熱部７とを有している。放熱部７の表面には放熱面積を増やすための凹凸が形成されている。ベースケース５は、図２を描いた紙面の表裏方向に延びていて、それにより、横長に形成されている。上側の棚板２ａに棚下灯１が取付けられた状態で、ベースケース５はその放熱部７が棚２の棚奥側を向くように配設されている。こうした放熱部７の配設により、この放熱部７に人の手が触れる可能性が極めて小さくなるので、安全性に優れる。
【００３７】
光源１１は、基板１２上に複数の半導体発光素子例えばチップ型ＬＥＤ（図２に一つのみ図示する）１３を一列に並設して形成されている。基板１２は、図２及び図４を描いた紙面の表裏方向に延びて横長に形成されていて、その長手方向に沿って間隔的にチップ型ＬＥＤ１３が実装されている。各ＬＥＤ１３は基板１２に形成された図示しない配線パターンに接続されている。この配線パターンに電線を介して接続された図示しない点灯装置が有したスイッチがオンされることによって、各ＬＥＤ１３に同時に電源が供給され、各ＬＥＤ１３が点灯されるようになっている。各ＬＥＤ１３は例えば白色系の光を放出する。
【００３８】
光源１１は、その基板１２をベース部６の下面に密着させてベースケース５に装着されている。これにより、ＬＥＤ１３が下側に光を放出するとともに、ＬＥＤ１３の発光に伴い生じる熱がベースケース５に熱伝導されるようになっている。ベースケース５がヒートシンクを兼ねていることにより、ＬＥＤ１３の点灯に伴って発生する熱を、ベースケース５の主として放熱部７から後側に放出することで、ＬＥＤ１３の温度上昇を抑制できる。これにより、ＬＥＤ１３の発光効率を維持し、かつ、寿命の低下を抑制することができる。
【００３９】
カバー１５は、ベースケース５に装着されていて、ベースケース５を前側から覆う前カバー部１７と、光源１１を下側から覆う下カバー部１８と、ベースケース５の長手方向両端を閉じる図示しない端カバー部を有して形成されている。
【００４０】
このカバー１５はベースケース５よりも熱伝導性が低い材料例えば合成樹脂で成形されている。本実施形態の場合には配光制御部材２１をカバー１５に一体成形することによってこれらを連接したので、カバー１５は透光性の合成樹脂例えば透明アクリル樹脂で成形されている。上側の棚板２ａに棚下灯１が取付けられた状態で、図２に示すようにカバー１５はその前カバー部１７が棚２の前面側となるように配設されていて、しかも、このカバー１５は放熱部７を覆っていない。そのため、露出状態にある放熱部７からＬＥＤ１３の熱が外部に放出されるので、放熱性に優れる。
【００４１】
カバー１５を合成樹脂製とすることは以下の点で好ましい。棚下灯１が棚板２ａの前縁部下面に設置して使用されることに伴い、この棚下灯１の特に前カバー部１７に人が前側から触れる可能性がある。その場合に、温度が高いベースケース５や光源１１への接触をカバー１５で防ぎつつ、カバー１５に触れた人に過度の熱さ与えることを抑制できる。そのため、この棚下灯１は使用上の安全性に優れる。しかも、ヒートシンクを兼ねたベースケース５の放熱部７が棚奥側となるように棚下灯１が配設されていて、放熱部７に人の手が触れないようになっているので、この点でも安全性に優れる。
【００４２】
又、カバー１５が合成樹脂製であることを利用して、このカバー１５に配光制御部材２１を一体に成形したので、部品点数を削減できるとともに、配光制御部材２１を支持する構造や手間を格別に要しない点でも好ましい。しかし、本発明では、カバー１５とは別に成形された透光性の配光制御部材２１を、カバー１５に透明接着剤を用いて接着し、配光制御部材２１と透光性又は非透光性のカバー１５を一体化することもできる。なお、カバー１５が非透光性である場合には、これに光投射用の開口を形成して、この開口を塞ぐように配光制御部材２１を接着すればよい。
【００４３】
配光制御部材２１は既述のように透明アクリル樹脂により成形されている。この配光制御部材２１は、高さ(厚み)が１２ｍｍと小さく、図３に示すように横方向に長く形成されている。したがって、配光制御部材２１は、前記光源１１が有した各ＬＥＤ１３の並び方向に延びて形成されている。この配光制御部材２１は、図４に示すように光出射面２２、光入射面２３、第１の反射面好ましくは第１の全反射面２４、及び第２の反射面好ましくは第２の全反射面２５を備えている。
【００４４】
光出射面２２は水平な平面で形成されている。光出射面２２を水平な平面とすることは、配光制御部材２１の高さを低く(薄く)する上で好ましいが、本発明において、光出射面２２にレンズ機能をもたせるために凸状のレンズ面で形成することも可能である。
【００４５】
光入射面２３は光出射面２２の裏側（図４では上方）に位置して設けられている。この光入射面２３は、第１の入射面２６と、第２の入射面２７とで形成されている。更に、第１の入射面２６は、第１の光屈折面２６ａと、第２の光屈折面２６ｂとで形成されている。
【００４６】
第１の入射面２６の第１の光屈折面２６ａは斜めの平面で形成されている。第１の入射面２６の第２の光屈折面２６ｂは、第１の光屈折面２６ａの光源１１側に連続しており、例えば光源１１に向けて凸となる曲面で形成されている。第２の入射面２７は、第２の光屈折面２６ｂから前方に離間した位置で第１の入射面２６から光源１１側に折れ曲がるように第１の光屈折面２６ａに連続して設けられている。この第２の入射面２７は、図４に示した光源１１の光軸Ｆ（これは光源１１の中心を通る鉛直線で描かれる。）に平行ではなく、第１の入射面２６と逆方向に急傾斜した平面で形成されている。
【００４７】
第１の全反射面２４は、光軸Ｆより後側、つまり光軸Ｆより棚２の奥側に形成されていて、光出射面２２の後側縁と光入射面２３の後側縁（言い換えれば、第２の光屈折面２６ｂの上縁）とにわたって設けられている。この第１の全反射面２４は例えば第１の光屈折面２６ａとは逆の傾斜をなす斜めの平面で形成されている。
【００４８】
第２の全反射面２５は、光軸Ｆより前側、つまり光軸Ｆより棚２の前縁側に形成されていて、光出射面２２の前側縁と光入射面２３の前側縁（言い換えれば、第２の入射面２７の上縁）とにわたって設けられている。この第２の全反射面２５は例えば前方に凸となる曲面で形成されている。図４中符号２８，２９は夫々連続部を示している。後側連続部２８は第１の全反射面２４と第２の光屈折面２６ｂとが連続する突起状の部分を指しており、前側連続部２９は第２の全反射面２５と第２の入射面２７とが連続する突起状の部分を指している。
【００４９】
以上の構成の配光制御部材２１は、図２及び図４に示すようにその光入射面２３を光源１１に対向させてＬＥＤ１３の光放出側に配置されている。この配置により、光入射面２３の第１の光入射面が図４に示した光源１１の光軸Ｆに対して斜めに交差されている。更に、前側連続部２９及び後側連続部２８間にＬＥＤ１３が配設されているとともに、ＬＥＤ１３の表面をなす発光面１３ａと前側連続部２９及び後側連続部２８は略同じ高さ位置に配置されている。しかも、光入射面２３の内で第２の光屈折面２６ｂが発光面１３ａに最も近接されている。
【００５０】
図１に棚下灯１を点灯させて棚板２ｂ上の商品３を照明した状態を示す。この照明では、斜め前上方向から商品３を照明するので、商品３の影を前方より視認し難くできる。
【００５１】
更に、商品３に対する斜め前上方向からの照明により、図４中実線の細線で光跡を示す第１の光と、点線で光跡を示す第２の光と、二点鎖線で光跡を示す第３の光とで、棚板２ｂ上面の略全域を照明できる。
【００５２】
すなわち、第１の光は、光源１１から下向きに放出された光である。この光は、光入射面２３の内で第１の入射面２６の第１の光屈折面２６ａを通過し、第１の全反射面２４及び第２の全反射面２５を経ることなく、光出射面２２から出射される。第１の光は、第１の光屈折面２６ａで主として後向きに屈折されるので、光出射面２２から斜め下後方向に出射される。この第１の光により、棚板２ｂの前後方向中央部から後部領域にわたって照明できる。しかも、棚板２ｂの後部領域をも照明する第１の光によって、棚板２ｂだけではなく図１に示すように棚奥壁２ｃの下部も同時に照明できる。
【００５３】
この第１の光の照射中心軸Ｇは、光源１１から放出された光の中でも最も光強度が強く(明るく)、図４において太線で示されている。照射中心軸Ｇは、既述のように屈折されることにより、光源１１の中心と光出射面２２の幅方向の中心を通る光軸Ｆ（図４に太線の一点鎖線で示す。）に対して後方に傾いている。そして、この照射中心軸Ｇの照射野に商品３が置かれており、それにより、商品３を明るく照明できるようにしてある。しかも、第１の光は図１のように棚奥壁２ｃの下部をも照明するので、棚板２ｂ上の商品３が棚２の奥まである場合でも、この商品全体を照明することができる。
【００５４】
第２の光は、光源１１から斜め前下方向に放出された光である。この第２の光は、光入射面２３の内で第２の入射面２７に入射し屈折されてから、配光制御部材２１の前面をなす第２の全反射面２５で斜め下後方向に向けて全反射されて、光出射面２２から出射されるので、無駄になることがない。第２の光は、第１の光とは異なる角度で斜め下後方向に出射される。言い換えれば、第２の光は、光軸Ｆに斜めに交差するように照射中心軸Ｇの傾き側に光出射面２２から出射される。この第２の光は、棚板２ｂの前後方向略中央部を照明するので、第１の光の一部と合わさって棚板２ｂ上の商品３を斜め前上方から明るく照明できる。
【００５５】
第３の光は、光源１１から斜め後下方向に放出された光である。この第３の光は、第１の入射面２６の第２の光屈折面２６ｂに入射し屈折されてから、配光制御部材２１の後面をなす第１の全反射面２４で棚下灯１の略真下方向に向けて全反射されて、光出射面２２から光軸Ｆに略沿うように出射されるので、無駄になることがない。この略真下方向を指向する第３の光は、棚板２ｂの前部を照明する。
【００５６】
したがって、以上のように光源１１から放出された光を配光制御部材２１の各面によって無駄なく利用して照明し、この配光制御部材２１の光制御で得た第１〜第３の光で棚板２ｂの上面略全域を照明できるとともに、ある程度の光を棚板２ｂ上の商品３に集光させて、この商品３を際立たせる照明をすることができる。
【００５７】
しかも、既述のように光源１１から棚下灯１の後方に向けて浅い角度で放出されて、第１の光屈折面２６ａよりも光源１１に近づいている第２の光屈折面２６ｂに入射された第３の光は、第２の光屈折面２６ｂで屈折される。この屈折により第３の光の全てを第１の全反射面２４に入射させることができる。そのため、棚下灯１の後方に一部の光が無駄に漏れることを抑制できる。その上、第１の全反射面２４での全反射による光制御で、棚下灯１の略真下方向に出射された光が、棚板２ｂの前縁を越えて前方を照らすことなく、棚板２ｂの前縁ぎりぎりまで照明できるので、この点からも照明光の無駄がない。
【００５８】
更に、既述のように光入射面２３に第２の入射面２７を設けたことにより、光源１１から第２の入射面２７に入射した第２の光を、この第２の入射面２７で屈折させて、その屈折光の全てを第２の全反射面２５に入射させることができる。このため、棚下灯１の前方に一部の光が漏れることを抑制できる。これとともに、光源１１の前側部位から放出されて第２の入射面２７で屈折された光の一部が、第２の全反射面２５を経由することなく光出射面２２を通って、棚下灯１の前方側下方に無駄に出射される（この光のイメージを図４中に太線の破線Ｅで示す。）ことを防止できる。したがって、この点からも照明光の無駄がない。
【００５９】
以上説明したように発光量が少ない光源１１から放出される光を無駄なく利用して棚板２ｂの前縁を除いた上面全域を斜め前上方から照明できる棚下灯１は、その光源１１がＬＥＤ１３を有しているので、薄型である。これとともに、既述のように商品３を斜め前上方から照明する棚下灯１であるにも拘らず、光源１１自体を斜めに傾ける必要がない。したがって、薄型な棚下灯１とすることができる。
【００６０】
又、配光制御部材２１の光入射面２３を、光軸Ｆに斜めに交差する第１の光屈折面２６ａ、これに折れ曲がるように連続した第２の入射面２７、及び第１の光屈折面２６ａに対し光源１１側に連続している第２の光屈折面２６ｂで形成した構成では、第１、第２、第３の光の量的割合を定めることができる。そのため、第１の光屈折面２６ａと第２の入射面２７とが鋭角をなして連続する角部Ｐ（図４参照）の位置と、第１の光屈折面２６ａと第２の光屈折面２６ｂの接続点Ｑ（図４参照）の位置を、夫々前側又は後側にずらした設計とすることにより、前記光量の割合を変えることができる。
【００６１】
角部Ｐの位置を決定する際は、光源１１の前側部位から放出されて第２の入射面２７で屈折された光の一部が、第２の全反射面２５を経由することなく光出射面２２を通って棚下灯１の前方側下方に無駄に出射されることを防止できる位置に設けることが好ましい。本実施形態では光源１１が直径2.6ｍｍに作られている。この条件において、仮に、角部Ｐを前側にずらした設計では、第２の入射面２７で屈曲された全ての光を斜め下後方に向けて全反射するのに要する第２の全反射面２５の高さを大きく必要とするので、棚下灯１の厚みを薄くする上では好ましくない。逆に、角部Ｐを後側にずらした設計とした場合でも、第２の入射面２７の傾きが小さくなるため、第２の入射面２７で屈折された光の傾きは大きくなり、その光の全てを全反射させるためには、第２の全反射面２５の高さを大きく必要とするので、棚下灯１の厚みを薄くする上では好ましくない。
【００６２】
接続点Ｑの位置を決定する際には、棚下灯１に必要な配光角に合わせて、第１の全反射面２４で反射された第１の光がその配光角になるように位置を定めることが好ましい。
【００６３】
なお、本実施形態よりも、より小さい光源を使用することにより、薄型を保ちつつ前記光量の割合、配光角を自由に変えることができる。
【００６４】
図５は本発明の第２実施形態を示している。この実施形態はウォールウォッシャー型の照明装置として実施した場合を示している。図５中符号３１は被照射対象である壁面パネルを示している。この壁面パネル３１の上端部には取付け部３２が設けられている。取付け部３２は平板などからなり、前方に水平状に突出されている。この取付け部３２の下面に照明装置３３が支持されている。照明装置３３は第１実施形態で説明した棚下灯と同じ構成である。
【００６５】
したがって、この第２実施形態の照明装置３３も、薄型であり、その光源が放出した光を無駄なく利用して被照射面である壁面パネル３１の略全域を斜め前上方から照明できる。
【００６６】
図６は本発明の第３実施形態を示している。第３実施形態は以下説明する事項以外は第１実施形態と同じであるから、第１実施形態と同じ構成については同一符号を付してその説明を省略する。
【００６７】
第３実施形態の棚下灯１では、配光制御部材２１が一体に成形された透光性の合成樹脂製カバー１５の前カバー部１７の少なくとも内面を、つや消し面１７ａとしている。本実施形態の場合、つや消し面１７ａとそれ以外の面との境界を視認され難くするために、つや消し面１７ａは下カバー部１８の前部内面にも連続されている。配光制御部材２１を避けて設けられるつや消し面１７ａは、前カバー部１７の内面に代えて外面に設けることもできる。しかし、つや消し面１７ａを前カバー部１７の内面に設けることは、前カバー部１７の外面が平滑であるので、そこに人が触れた場合の感触を良好にできるとともに、前カバー部１７の外面に汚れが付着し難くなる点で好ましい。なお、つや消し面１７ａは、フロスティング加工又はしぼ加工等により前カバー部１７に形成できる。以上の説明したこと以外の構成及び作用効果は第１実施形態と同じである。
【００６８】
したがって、第３実施形態の棚下灯１は第１実施形態で説明した理由によって、薄型であるとともに、光源１１のＬＥＤ１３が放出した光を無駄なく利用して図１に示した下側の棚板２ｂ及びその上の商品３等を斜め前上方から照明できる。
【００６９】
この棚下灯１はカバー１５を備えているので、既述のように棚下灯１が上側の棚板２ａ（図１参照）の前縁部下面に取付けて使用されるに伴い、この棚下灯１に人が前側から触れた場合に、光源１１が接続されて点灯時に温度が高くなるベースケース５等への人の接触を防ぎつつ前カバー部１７に触れた人に過度の熱さを与えることを抑制できる。
【００７０】
そして、この棚下灯１の前カバー部１７がつや消し面１７ａを有しているので以下の利点がある。即ち、配光制御部材２１と一体に成形されたカバー１５は、当然に透光性を有しているので、前カバー部１７がつや消し面１７ａを有していない場合には、この前カバー部１７を通して配光制御部材２１等が容易に視認されて、棚下灯１の体裁上好ましくない。しかし、前カバー部１７の内面につや消し面１７ａを設けたことによって、この前カバー部１７を通してカバー１５の内側を透かし見ることが困難となる。したがって、棚下灯１の見栄えが低下することを抑制できる。
【図面の簡単な説明】
【００７１】
【図１】本発明の第１実施形態に係る棚下灯の使用状況を示す図。
【図２】第１実施形態に係る棚下灯を示す断面図。
【図３】第１実施形態に係る棚下灯が備える配光制御部材を示す斜視図。
【図４】第１実施形態に係る棚下灯が備える配光制御部材と光源との位置関係、及び配光制御部材の配光制御態様を示す図。
【図５】本発明の第２実施形態に係る壁面照明灯の使用状況を示す図。
【図６】本発明の第３実施形態に係る棚下灯を示す断面図。
【符号の説明】
【００７２】
１…棚下灯(照明装置)、２…棚、２ａ…上側の棚板、２ｂ…下側の棚板、２ｃ…棚奥壁、３…商品（照明対象物）、５…ベースケース(ヒートシンク)、６…ベース部、７…放熱部、１１…光源、１２…基板、１３…ＬＥＤ(半導体発光素子)、１５…カバー、１７…前カバー部、１７ａ…つや消し面、２１…配光制御部材、２２…光出射面、２３…光入射面、２４…第１の反射面（全反射面）、２５…第２の反射面（全反射面）、２６ａ…第１の光屈折面、２６ｂ…第２の光屈折面、Ｆ…光軸、Ｇ…照明中心軸
【図１】
2007287686.tif 000003
【図２】
2007287686.tif 000004
【図３】
2007287686.tif 000005
【図４】
2007287686.tif 000006
【図５】
2007287686.tif 000007
【図６】
2007287686.tif 000008